(57)【要約】【課題】本発明は耐衝撃耐圧の包装ケースを開示した。【解決手段】前板及び前記前板の後端に設置される後板を含み、前記前板と前記後板との相互に接近する側にはインフレータークッションが設置され、前記前板の中には後方に開口した開口溝が上下に対称的に設置され、前記開口溝の中にはレールブロックがスライドできるように設置され、前記レールブロックと前記開口溝との間には引っ張りばねが連結され、本発明は構造が簡単で、六つの角度の緩衝保護箱内の物を利用すると同時に、緩衝構成の中には固定構成が設置されており、物の活動を制限し、且つ物と接触する物はいずれも軟質であり、最大限で物を保護する。【選択図】図１
2020142859.tif 000002
【特許請求の範囲】
【請求項１】
前板及び前記前板の後端に設置される後板を含み、前記前板と前記後板との相互に接近する側にはインフレータークッションが設置され、前記前板の中には後方に開口した開口溝が上下に対称的に設置され、前記開口溝の中にはレールブロックがスライドできるように設置され、前記レールブロックと前記開口溝との間には引っ張りばねが連結され、前記レールブロックの中にはスライドレールが設置され、前記スライドレールには前記後板と回転できるように連結される受け板がスライドできるように連結され、上端の前記受け板の前側と前記スライドレールの内壁との間には戻しばねが連結され、前記後板の下側にはロック溝が設置され、前記ロック溝の中には下端の前記受け板と当接するロック装置が設置され、前記受け板の中には左右対称である緩衝装置が設置され、前記緩衝装置の中には上下対称である固定装置が設置され、前記固定装置の中には物と当接する軟質接触爪が設置され、
前記固定装置により物が固定され、前記前板を回転させて前記ロック装置により閉合が行われ、前記緩衝装置と前記軟質接触爪とを利用して保護することを特徴とする耐衝撃耐圧の包装ケース。
【請求項２】
前記ロック装置は前記ロック溝の底端内壁とスライドできるように連結されるプッシュロッドを含み、前記プッシュロッドにはボルトロッドがスライドできるように連結され、前記ボルトロッドの上側と前記後板の底端端面との間には抑制ばねが連結され、前記ボルトロッドの右端末端には上下対称である引っかかりロッドが回転できるように連結され、下端の前記受け板の下側にはロックレバーが固定的に連結され、前記ロックレバーには前記引っかかりロッドと当接するロック穴が設置され、
前記引っかかりロッドと前記ロック穴との間の係合関係の変化により、前記後板と前記前板との間のロック状態が変化することを特徴とする請求項１に記載の耐衝撃耐圧の包装ケース。
【請求項３】
前記緩衝装置は前記受け板のうち相互に接近する側に上下対称的に設置される水平スライド溝を含み、前記水平スライド溝の中には折り畳み板がスライドできるように連結され、前記折り畳み板のうち対称中心に接近する側と前記水平スライド溝との間には緩衝ばねが連結され、前記折り畳み板には収容スライド溝が設置され、前記収容スライド溝の中には固定ロッドがスライドできるように連結され、前記固定ロッドのうち対称中心に接近する端には貼り合わせ板が回転できるように連結され、前記受け板の間には制限ブロックが設置され、前記制限ブロックの中には上下対称である垂直スライド溝が設置され、前記折り畳み板のうち対称中心に接近する側と前記制限ブロックとの間には圧縮ばねが連結され、
前記折り畳み板が前記水平スライド溝と前記垂直スライド溝の中でスライドでき、これにより外部からの衝撃力を相殺して緩衝と保護できることを特徴とする請求項１に記載の耐衝撃耐圧の包装ケース。
【請求項４】
前記固定装置は前記受け板のうち対称中心から離れる側に設置される隠し溝を含み、前記隠し溝の中には伝動軸が回転できるように連結され、前記伝動軸には前記隠し溝の中に位置するハンドルが設置され、前記伝動軸には前記受け板の間に位置するメイン鎖歯車が設置され、前記軟質接触爪が前記伝動軸に位置し、且つ前記メイン鎖歯車のうち対称中心に接近する側に位置し、前記受け板には、前記伝動軸の左右端に位置し、且つ対称的な従動軸が回転できるように連結され、前記従動軸にはサブ鎖歯車が設置され、前記サブ鎖歯車と前記メイン鎖歯車との間にはチェーンが連結され、前記従動軸には変位ブロックがねじ山によって連結され、前記変位ブロックのうち対称中心から離れる側には直角ロッドが設置され、前記直角ロッドの他端には前記固定ロッドとスライドできるように連結される連結ブロックが設置され、
前記ハンドルを回転させてねじ山によって連結される前記変位ブロックにより、前記貼り合わせ板の間の距離を変えて物を固定できることを特徴とする請求項１に記載の耐衝撃耐圧の包装ケース。
【請求項５】
前記軟質接触爪は前記伝動軸と固定的に連結されるスライドレール枠を含み、前記スライドレール枠には収納溝が設置され、前記収納溝の中には止枠がスライドできるように連結され、前記止枠と前記スライドレール枠との間には止ばねが連結され、
前記止枠と前記スライドレール枠との間のスライドと軟性の連結を利用して押された時に物との接触が軟性であることを確保することを特徴とする請求項４に記載の耐衝撃耐圧の包装ケース。
【発明の詳細な説明】
【技術分野】
【０００１】
本発明はデパート用品技術分野に関わり、具体的には耐衝撃耐圧の包装ケースである。
【背景技術】
【０００２】
伝統的なパック手段はダンボール箱にガムテープを巻きつけるのであり、この手段では、ダンボール箱を開封する方法が不合理であればダンボール箱が壊されて浪費になり、それと同時に、輸送する過程中にダンボール箱を補強する必要がある。ダンボール箱の材質が大きい圧力にあまり耐えられないので、箱内の物が押されて壊しやすく、したがって耐衝撃耐圧で、且つ循環使用可能な装置は今業界発展の必然な趨勢になる。
【先行技術文献】
【特許文献】
【０００３】
【特許文献１】中国特許出願公開第１０７７１９８７３号明細書
【発明の概要】
【発明が解決しようとする課題】
【０００４】
本発明は耐衝撃耐圧の包装ケースを提供し、既存技術にある欠点を解消することを目的とする。
【課題を解決するための手段】
【０００５】
本発明の耐衝撃耐圧の包装ケースは、前板及び前記前板の後端に設置される後板を含み、前記前板と前記後板との相互に接近する側にはインフレータークッションが設置され、前記前板の中には後方に開口した開口溝が上下に対称的に設置され、前記開口溝の中にはレールブロックがスライドできるように設置され、前記レールブロックと前記開口溝との間には引っ張りばねが連結され、前記レールブロックの中にはスライドレールが設置され、前記スライドレールには前記後板と回転できるように連結される受け板がスライドできるように連結され、上端の前記受け板の前側と前記スライドレールの内壁との間には戻しばねが連結され、前記後板の下側にはロック溝が設置され、前記ロック溝の中には下端の前記受け板と当接するロック装置が設置され、前記受け板の中には左右対称である緩衝装置が設置され、前記緩衝装置の中には上下対称である固定装置が設置され、前記固定装置の中には物と当接する軟質接触爪が設置され、
前記固定装置により物が固定され、前記前板を回転させて前記ロック装置により閉合が行われ、前記緩衝装置と前記軟質接触爪とを利用して保護する。
【０００６】
好ましくは、前記ロック装置は前記ロック溝の底端内壁とスライドできるように連結されるプッシュロッドを含み、前記プッシュロッドにはボルトロッドがスライドできるように連結され、前記ボルトロッドの上側と前記後板の底端端面との間には抑制ばねが連結され、前記ボルトロッドの右端末端には上下対称である引っかかりロッドが回転できるように連結され、下端の前記受け板の下側にはロックレバーが固定的に連結され、前記ロックレバーには前記引っかかりロッドと当接するロック穴が設置され、
前記引っかかりロッドと前記ロック穴との間の係合関係の変化により、前記後板と前記前板との間のロック状態が変化する。
【０００７】
好ましくは、前記緩衝装置は前記受け板のうち相互に接近する側に上下対称的に設置される水平スライド溝を含み、前記水平スライド溝の中には折り畳み板がスライドできるように連結され、前記折り畳み板のうち対称中心に接近する側と前記水平スライド溝との間には緩衝ばねが連結され、前記折り畳み板には収容スライド溝が設置され、前記収容スライド溝の中には固定ロッドがスライドできるように連結され、前記固定ロッドのうち対称中心に接近する端には貼り合わせ板が回転できるように連結され、前記受け板の間には制限ブロックが設置され、前記制限ブロックの中には上下対称である垂直スライド溝が設置され、前記折り畳み板のうち対称中心に接近する側と前記制限ブロックとの間には圧縮ばねが連結され、
前記折り畳み板が前記水平スライド溝と前記垂直スライド溝の中でスライドでき、これにより外部からの衝撃力を相殺して緩衝と保護できる。
【０００８】
好ましくは、前記固定装置は前記受け板のうち対称中心から離れる側に設置される隠し溝を含み、前記隠し溝の中には伝動軸が回転できるように連結され、前記伝動軸には前記隠し溝の中に位置するハンドルが設置され、前記伝動軸には前記受け板の間に位置するメイン鎖歯車が設置され、前記軟質接触爪が前記伝動軸に位置し、且つ前記メイン鎖歯車のうち対称中心に接近する側に位置し、前記受け板には、前記伝動軸の左右端に位置し、且つ対称的な従動軸が回転できるように連結され、前記従動軸にはサブ鎖歯車が設置され、前記サブ鎖歯車と前記メイン鎖歯車との間にはチェーンが連結され、前記従動軸には変位ブロックがねじ山によって連結され、前記変位ブロックのうち対称中心から離れる側には直角ロッドが設置され、前記直角ロッドの他端には前記固定ロッドとスライドできるように連結される連結ブロックが設置され、
前記ハンドルを回転させてねじ山によって連結される前記変位ブロックにより、前記貼り合わせ板の間の距離を変えて物を固定できる。
【０００９】
好ましくは、前記軟質接触爪は前記伝動軸と固定的に連結されるスライドレール枠を含み、前記スライドレール枠には収納溝が設置され、前記収納溝の中には止枠がスライドできるように連結され、前記止枠と前記スライドレール枠との間には止ばねが連結され、
前記止枠と前記スライドレール枠との間のスライドと軟性の連結を利用して押された時に物との接触が軟性であることを確保する。
【発明の効果】
【００１０】
本発明の有益な効果は：本発明は構造が簡単で、操作が便利であり、伝統的なガムテープで包装する方法を捨て去って、省資源また環境を保護でき、それと同時に機械式の固定緩衝を利用して、全体の架構が繰り返し利用でき、また簡単なパック操作を実現し、六つの角度の緩衝構造がパッケージ内の物を十分に保全できる。
【図面の簡単な説明】
【００１１】
やすく説明するため、本発明は以下の具体的な実施例及び付図に基づいて詳しく説明する。
【００１２】
【図１】図１は本発明の耐衝撃耐圧の包装ケースの全体構成概略図
【図２】図２は図１の「Ａ−Ａ」の構成概略図
【図３】図３は図２の収縮状態の下での構成概略図
【図４】図４は図２の広がり状態の下での構成概略図
【発明を実施するための形態】
【００１３】
次に図１−４を合わせて本発明を詳しく説明する。意思の疎通に便利なため、後文に出る方位を以下の通りに規定する：後文に出る上下左右前後方向は図１本体の投影関係の上下左右前後方向と一致する。
【００１４】
本発明の耐衝撃耐圧の包装ケースは、前板４１及び前記前板４１の後端に設置される後板３４を含み、前記前板４１と前記後板３４との相互に接近する側にはインフレータークッション３５が設置され、前記前板４１の中には後方に開口した開口溝４０が上下に対称的に設置され、前記開口溝４０の中にはレールブロック３６がスライドできるように設置され、前記レールブロック３６と前記開口溝４０との間には引っ張りばね３９が連結され、前記レールブロック３６の中にはスライドレール３８が設置され、前記スライドレール３８には前記後板３４と回転できるように連結される受け板１１がスライドできるように連結され、上端の前記受け板１１の前側と前記スライドレール３８の内壁との間には戻しばね３７が連結され、前記後板３４の下側にはロック溝４３が設置され、前記ロック溝４３の中には下端の前記受け板１１と当接するロック装置９０１が設置され、前記受け板１１の中には左右対称である緩衝装置９０２が設置され、前記緩衝装置９０２の中には上下対称である固定装置９０３が設置され、前記固定装置９０３の中には物と当接する軟質接触爪９０４が設置され、
前記固定装置９０３により物が固定され、前記前板４１を回転させて前記ロック装置９０１により閉合が行われ、前記緩衝装置９０２と前記軟質接触爪９０４とを利用して保護する。
【００１５】
有益なように、前記ロック装置９０１は前記ロック溝４３の底端内壁とスライドできるように連結されるプッシュロッド４８を含み、前記プッシュロッド４８にはボルトロッド４２がスライドできるように連結され、前記ボルトロッド４２の上側と前記後板３４の底端端面との間には抑制ばね４７が連結され、前記ボルトロッド４２の右端末端には上下対称である引っかかりロッド４５が回転できるように連結され、下端の前記受け板１１の下側にはロックレバー４４が固定的に連結され、前記ロックレバー４４には前記引っかかりロッド４５と当接するロック穴４６が設置され、
前記引っかかりロッド４５と前記ロック穴４６との間の係合関係の変化により、前記後板３４と前記前板４１との間のロック状態が変化する。
【００１６】
有益なように、前記緩衝装置９０２は前記受け板１１のうち相互に接近する側に上下対称的に設置される水平スライド溝１８を含み、前記水平スライド溝１８の中には折り畳み板２０がスライドできるように連結され、前記折り畳み板２０のうち対称中心に接近する側と前記水平スライド溝１８との間には緩衝ばね１９が連結され、前記折り畳み板２０には収容スライド溝２１が設置され、前記収容スライド溝２１の中には固定ロッド２３がスライドできるように連結され、前記固定ロッド２３のうち対称中心に接近する端には貼り合わせ板２７が回転できるように連結され、前記受け板１１の間には制限ブロック２５が設置され、前記制限ブロック２５の中には上下対称である垂直スライド溝２４が設置され、前記折り畳み板２０のうち対称中心に接近する側と前記制限ブロック２５との間には圧縮ばね２６が連結され、
前記折り畳み板２０が前記水平スライド溝１８と前記垂直スライド溝２４の中でスライドでき、これにより外部からの衝撃力を相殺して緩衝と保護できる。
【００１７】
有益なように、前記固定装置９０３は前記受け板１１のうち対称中心から離れる側に設置される隠し溝１３を含み、前記隠し溝１３の中には伝動軸３３が回転できるように連結され、前記伝動軸３３には前記隠し溝１３の中に位置するハンドル１２が設置され、前記伝動軸３３には前記受け板１１の間に位置するメイン鎖歯車３２が設置され、前記軟質接触爪９０４が前記伝動軸３３に位置し、且つ前記メイン鎖歯車３２のうち対称中心に接近する側に位置し、前記受け板１１には、前記伝動軸３３の左右端に位置し、且つ対称的な従動軸１４が回転できるように連結され、前記従動軸１４にはサブ鎖歯車１５が設置され、前記サブ鎖歯車１５と前記メイン鎖歯車３２との間にはチェーン４９が連結され、前記従動軸１４には変位ブロック１６がねじ山によって連結され、前記変位ブロック１６のうち対称中心から離れる側には直角ロッド１７が設置され、前記直角ロッド１７の他端には前記固定ロッド２３とスライドできるように連結される連結ブロック２２が設置され、
前記ハンドル１２を回転させてねじ山によって連結される前記変位ブロック１６により、前記貼り合わせ板２７の間の距離を変えて物を固定できる。
【００１８】
有益なように、前記軟質接触爪９０４は前記伝動軸３３と固定的に連結されるスライドレール枠３０を含み、前記スライドレール枠３０には収納溝３１が設置され、前記収納溝３１の中には止枠２８がスライドできるように連結され、前記止枠２８と前記スライドレール枠３０との間には止ばね２９が連結され、
前記止枠２８と前記スライドレール枠３０との間のスライドと軟性の連結を利用して押された時に物との接触が軟性であることを確保する。
【００１９】
本発明装置は初期状態にある時、変位ブロック１６がサブ鎖歯車１５に接近するところに位置し、水平スライド溝１８と圧縮ばね２６とがいずれも弾性的な変形を発生させる。
【００２０】
本発明の装置は作動する時、引っかかりロッド４５を握ってロック穴４６を通させ、後板３４を回転させ、物を入れ、連結ブロック２２を回転させて隠し溝１３によりメイン鎖歯車３２を連動させ、メイン鎖歯車３２がチェーン４９によりサブ鎖歯車１５を連動させ、サブ鎖歯車１５が従動軸１４を駆動し変位ブロック１６を向かい合って移動させ、直角ロッド１７により連結ブロック２２をプッシュし固定ロッド２３を連動させて収容スライド溝２１の中でスライドさせ、また貼り合わせ板２７の間の距離を変えて物をきつく挟み、後板３４を再び回転させて下端の受け板１１をロック溝４３の中に滑り込むまで回転させ、プッシュロッド４８を出て、引っかかりロッド４５を再び握ってボルトロッド４２を引いてプッシュロッド４８でスライドさせ、ボルトロッド４２がロック穴４６を通すまでスライドさせ、引っかかりロッド４５を回転させ、引っかかりロッド４５が広がった後、引っかかりロッド４５がロック穴４６と当接して後板３４と前板４１とをロックする。
【００２１】
圧力を受けた時、折り畳み板２０が水平スライド溝１８の中でスライドし、また緩衝ばね１９を圧縮し動力エネルギーを蓄積させて左右からの衝撃力を減らし、折り畳み板２０が制限ブロック２５の中でスライドし、且つ圧縮ばね２６を圧縮して動力エネルギーを蓄積させることにより上下からの衝撃力が減り、インフレータークッション３５により前後端を保護し、それから止枠２８が収納溝３１の中でスライドし、また止ばね２９に動力エネルギーを蓄積させ、物と柔軟に当接できる。
【００２２】
本発明装置は作動が完了した後、引っかかりロッド４５を回転させて前後二つの引っかかりロッド４５を重ね合わせ直線になってロック穴４６により解錠し、後板３４を直角に直立するまで反転させ、ハンドル１２を反転させて上記の固定する過程により物を取り出す。
【００２３】
本発明の有益な効果は：本発明は構造が簡単で、操作が便利であり、伝統的なガムテープで包装する方法を捨て去って、省資源また環境を保護でき、それと同時に機械式の固定緩衝を利用して、全体の架構が繰り返し利用でき、また簡単なパック操作を実現し、六つの角度の緩衝構造がパッケージ内の物を十分に保全できる。
【００２４】
以上の方法により、当業者は本発明の範囲の中で作業模式に基づいて各種の変型を行える。
【図１】
2020142859.tif 000003
【図２】
2020142859.tif 000004
【図３】
2020142859.tif 000005
【図４】
2020142859.tif 000006